Podtech/llm-jp-corpus-v4-ja_patent huggingface dataset:
(57)【要約】【課題】吹き矢の筒を入れるスタンドは、今まで入れにくいものが大部分である。特に競技会などでは、緊張し、又、高齢者が多いため筒をスタンドにセットするときは、甚だ面倒で円滑には入れにくかった。【解決手段】本考案は基台の中心に軸を立て、その軸の中心に中空部分を設け、そこに筒を立てるものであるが、軸の最上部は内側に傾斜したテーパー部を持ち、筒の下部をテーパー部に当てると、傾斜により導かれ、円滑に筒がスタンドの軸に入る。この様にして、筒が軸に円滑に立つものであり、今までのものよりずっと使いやすい吹き矢の筒のスタンドを提供する。【選択図】  図１
0003117092.tif 000002
【実用新案登録請求の範囲】
【請求項１】
基台の中心に軸を上に向かって立て、該軸の中心には中空部があり、該軸の円周状の上部には、内側に傾斜したテーパー部を設けた吹き矢の筒のスタンド。
【請求項２】
該基台と該軸が脱着自在の２要素からなる請求項１に記載の吹き矢の筒のスタンド。
【請求項３】
該基台と該軸が一体的に形成された請求項１に記載の吹き矢の筒のスタンド。
【考案の詳細な説明】
【技術分野】
【０００１】
本考案は、吹き矢の筒のスタンドに関する。
【背景技術】
【０００２】
吹き矢の筒のスタンドは、今まである程度あるが筒が、上手く入りにくく、特に競技会などでは緊張しているので、又、高齢者が多いので、円滑に瞬時に入れることは困難であった。本考案の様に上部に内側に傾斜したテーパー部の様に入れ易さに目を向けたものは全く無かった。
【特許文献１】特記するものは全くありません。
【非特許文献１】今用いられているものは、筒を入れるのに手間取り入りにくいものが大部分である。
【考案の開示】
【考案が解決しようとする課題】
【０００３】
本考案は、吹き矢の筒を円滑に立てることができる吹き矢の筒のスタンドを提供する。
【課題を解決するための手段】
【０００４】
本考案は、基台の中心に軸を上に向かって立て、該軸の中心には中空部があり、該軸の円周状の上部には、内側に傾斜したテーパー部を設けた吹き矢の筒のスタンド。
【考案の効果】
【０００５】
上に導入部である傾斜したテーパー部を設けたので、筒の挿入が大変楽である。筒の下端を軸に当てれば、円滑に導かれ、筒を軸にセットできる。又、２部材によるものは、分離して、持ち運びに便利であり、又一部材のものも使いやすい。又、軸の中空部分と筒はほんの２〜３ミリの余裕を保ち巧くフィットして全体が倒れない。
【考案を実施するための最良の形態】
【０００６】
好ましくは上からみて正方形の基台１がある。その基台１の中央に、円形の孔を設ける。その孔に、円筒状の軸２を入れる。軸２には最上部の導入部において、内側に傾斜したテーパー部３を設ける。軸２は中心に中空部分４があり、そこに吹き矢の筒を挿入する。又、軸２は最下部に底５を持つ。変化例として基台１と、軸２を一体的に作った場合も本考案の権利範囲内である。
【０００７】
全体は、合成樹脂である発泡体で作ると最適である。
【０００８】
筒と軸２の中空の部分３と、吹き矢の筒は丁度良くフィットし、倒れない。今までのものは、良く倒れるものが多かった。
【０００９】
又、２部材の構成のものは、持ち運びの際、離して用いると持ち運びが楽である。
【産業上の利用可能性】
【００１０】
本考案はこの分野の技術として全く画期的で広く用いられると思います。
【図面の簡単な説明】
【００１１】
【図１】断面図である。
【図２】平面図である。
【符号の説明】
【００１２】
１  基台
２  軸
３  テーパー部
４  中空部分
５  底
【図１】
0003117092.tif 000003
【図２】
0003117092.tif 000004
(57)【要約】      （修正有）【課題】簡単な回路構成で信頼性があり、節電できる漏水検出センサーを提供する。【解決手段】親水性であるポリアクリルアミド５の吸水性を利用し、吸水したポリアクリルアミドが自ら膨張して軟化する状態変化作用により、常に働かせた外圧６で、膨張、軟化したポリアクリルアミドを崩壊させ、その変位を電気的接続するスイッチ機構８へ連動させる機構で構成させる。この機構は、マイクロスイッチを使用する事で、外力６、突端７、電気的スイッチ機構８の機能を一部材９でまかなう事が出来る。【選択図】図２
0003117032.tif 000002
【実用新案登録請求の範囲】
【請求項１】
ポリアクリルアミドの水と相性がいい性質、いわゆる親水性を利用して、水分を吸収、自ら膨張して軟化した時点で、常に働かせた外圧により崩壊させ、その変位を電気的接続するスイッチ機構へ連動させ、警報回路への無電圧Ａ接点回路を構成させることを特徴とした漏水検出センサー
【考案の詳細な説明】
【技術分野】
【０００１】この考案は、水を扱う施設や装置、住宅の水周りの床下など、漏水を検出する漏水検出センサーに関する。
【背景技術】
【０００２】従来の漏水検出センサーの種別として、フロート式、電極式、その他、応用品も含めて各種ある。
【考案の開示】
【考案が解決しようとする課題】
【０００３】フロート式は、ある程度の感知するための水深が必要であり、フロート自身が引っかかったり、リード線とフロートが引っかかったりして、信頼性が欠ける。
電極式は、応用品が多くテープ状のものなど小型なものがあるが、常に電極間には電圧を印加する必要があり、水が電極間を包囲したときに流れる微少な電流を増幅回路により増幅して警報装置で発報させる必要があるため、警報装置自体は複雑な回路構成が必要であり、常に電力を消費する。
【課題を解決するための手段】
【０００４】この考案は親水性であるポリアクリルアミドの吸水性を利用し、吸水したポリアクリルアミドが自ら膨張して軟化する状態変化作用により、常に働かせた外圧で、膨張、軟化したポリアクリルアミドを崩壊させ、その変位を電気的接続するスイッチ機構へ連動させる機構で構成させることを特徴とする。
【考案の効果】
【０００５】本考案の漏水検出センサーは漏水などによる水分を吸収することによって、ポリアクリルアミドの状態変化作用によりスイッチ機構へ連動させるので、警報装置側は増幅装置などの複雑な回路と、それを監視するための電力が不要となる。つまり全体の回路としては、警報装置側を警報発報させる部材のみとし、電源部を無電圧Ａ接点回路にしたこのセンサーで構成するだけなので、非常に簡略化する事が出来る。ポリアクリルアミドの性質から検出する水質などの影響を受けず、漏水を確実に検出できる。又、その構造は簡素、単純であるため低コストで提供できる。
【実施例】
【０００６】センサーのベース１は水の浸透性を考え、薄い金属板などとして水が浸入するための穴を加工する。穴２の直径は、強度を考えた上でなるべく大きくあけ、浸透しやすくする。またベース側面から、ベース直下部に水を誘導するため、サイホン現象が起こるようベースには適度の隙間が確保出来るように、足３を加工する。【０００７】ベース１上部には、吸収シート４とポリアクリルアミド５の結晶で構成されている。吸収シート４は吸収性のよい素材が好ましくポリアクリルアミド５への吸収する水を一次確保するための働きを有する。ポリアクリルアミド５はタブレット状に加工したものを使用する。【０００８】ポリアクリルアミド５の直上には外力６を加えた突端７があり、その突端７が常にポリアクリルアミドに外圧を加える構造とする。また突端７の上部には、突端７がストロークした場合に連動する電気的スイッチ機構８につながっている。以上これらの機構は、単独で加工すると複雑になってしまうが、マイクロスイッチを使用する事で、外力６、突端７、電気的スイッチ機構８の機能を有し９の構造を一部材でまかなう事が出来る。【０００９】センサーの一連の動作として、床の固定点１０より漏水などによる水がベース１に到達すると、足３のクリアランスによりサイホン現象で、すぐベース１全体に水がいきわたる。その水は、吸収シート４により１１のルートで水を多量に吸収し、ポリアクリルアミド５に水分吸収させる一時的な保有水を確保する。ポリアクリルアミド５は吸収シート４より安定した量の水を吸収し、体積膨張を始め、同時に軟化し始める。【００１０】突端７の外力６がポリアクリルアミド５の軟化に対して崩壊限界点を超えたとき、ポリアクリルアミド５は突端７により崩壊し、突端７は外力６によりストローク１２し、連動する電気的スイッチ機構８の電気的接続１３を行う。【００１１】以上センサー部１４は、無電圧Ａ接点としたスイッチ機構としたので、警報装置１５は、電子ブザーやパイロットランプなどの警報部材１７とそれを起動するためのバッテリー１６程度で構成される。もちろん警報部材１７の消費電力をまかなえるのであれば、電源としてボタン型電池の使用も可能となり、小型化は簡単である。
【図面の簡単な説明】
【００１２】
【図１】本考案の漏水検出センサーの部材と構成を表したもの
【図２】漏水検出センサーの実際の動作を現したもの
【図３】警報装置と漏水検出センサーの電気的回路を現したもの
【符号の説明】
【００１３】１  センサーのベース部材
２  穴加工
３  ベースに施された足
４  吸収シート
５  ポリアクリルアミド
６  外力
７  突端
８  電気的スイッチ機構
９  マイクロスイッチに代替する事が可能な範囲
１０  床の固定点
１１  水の浸入ルート
１２  外力６によるストローク
１３  電気的接続した状態
１４  センサー部
１５  警報装置部
１６  バッテリー
１７  警報部材
【図１】
0003117032.tif 000003
【図２】
0003117032.tif 000004
【図３】
0003117032.tif 000005
(57)【要約】      （修正有）【課題】剪定屑・切粉が簡単に集められ、屑受に入ったものを、その都度、ごみ袋等に収納でき、大変便利になったヘッジトリマー用屑受を提供する。【解決手段】ヘッジトリマー１．の刃駆動ガイド４．の上に、受７．を取付ボルト・ナット８．で、保護版３．の上部に取付ボルト・ナット８．で共に取付ける。保護版３．の上部に取付ボルト・ナット８．で取付ける事により、受７．を刃５．に、支障のない状態で固定することが出来る。【選択図】図１
0003117033.tif 000002
【実用新案登録請求の範囲】
【請求項１】
ヘッジトリマーの上部片側に取り付けられ、進行方向が開放された箱で、水平な生垣は、右から左へ操作し、垂直・傾斜には、下から上へ上げる事により落下する屑を、受取る箱を配置して成るヘッジトリマー。
【考案の詳細な説明】
【技術分野】
【０００１】  本考案は庭園における生垣や庭木・植木を刈り込み、剪定に使用するヘッジトリマーの、受取る箱に関するものである。
【背景技術】
【０００２】  現状では、水平方向にのみ作用する屑受はあるが、垂直及び斜めに作用する形状のものはありません。
以前は、剪定する生垣や庭木・植木等の剪定屑・切粉の屑が、生垣や庭木・植木等のあいだに落ちてしまうのと、地上に落下した後の掃除がめんどうなことであり、ブルーシート等を敷き、または、手で取り込みながらの方法であった。
本考案により、剪定屑・切粉が簡単に集められ、受に入ったものを、その都度、ごみ袋等に収納でき、大変便利になった。
【考案の開示】
【考案が解決しようとする課題】
【０００３】  剪定した時に出る、剪定屑・切粉を集めることが大変であり、掃除を簡単にした。
【問題を解決するための手段】
【０００４】  ヘッジトリマーの刃を駆動する時に支える中央部ガイド上に、右利きの人は右側に、左利きの人は左側に、取り付けた事により解決された。
【考案の効果】
【０００５】  現段階では、水平部のみ受があるが、縦方向には向いていない。
外部への逸脱・落下がほとんどなくなり、剪定屑・切粉を収納できる。
また、水平方向はもとより、垂直の生垣等の剪定も、箱型（一部開放）の受で収納できる。
【考案のを実施するための最良の形態】
【０００６】  以下図面に示す実施例に従って、本考案の実施の形態について説明する。
ヘッジトリマー１．の刃駆動ガイド４．の上に、受７．を取付ボルト・ナット８．で、保護版３．の上部に取付ボルト・ナット８．で共に取付ける。
保護版３．の上部に取付ボルト・ナット８．で取付ける事により、受７．を刃５．に、支障のない状態で固定することが出来る。
右利きの人には、
【図１】
の様に、左利きの人には、
【図１】
の上部に取付けることにより解決された。
水平な生垣等は、開口部が左の場合は、ヘッジトリマーを右から左へ操作する事により、受けの中に収納できる。
左利きの人には、開口部を右にして、ヘッジトリマーを左から右の操作で、解決される。
垂直及び傾斜のある生垣等には、下から上方向に操作する事で、自然落下で受けの中に収納できる。
これらの材質は、強度はあまり必要としない為、アルミニュームか、プラスチックにて成型したものが軽くて便利である。
ヘッジトリマーの刃を駆動する時に支える、中央部ガイド上に接合するが、図のごとくボルト・ナットで固定するが、ヘッジトリマーの刃を駆動に、支障のない固定が望ましい。
【図面の簡単な説明】
【０００７】
【図１】平面図
【図２】右横面図
【図３】前面図
【符号の説明】
【０００８】１．ヘッジトリマー
２．ハンドル
３．保護板
４．刃駆動ガイド
５．刃
６．刃固定ボルト
７．受
８．取付けボルト・ナット
【図１】
0003117033.tif 000003
【図２】
0003117033.tif 000004
【図３】
0003117033.tif 000005
(57)【要約】      （修正有）【課題】浮き趾改善サンダルは足の趾の筋力を増加させ趾の接地力を高める形状である、浮き趾を改善して健康な足形に整える構造である。浮き趾が原因で、敏速な動きに欠ける、走ると転びやすい、疲れやすい、直立姿勢が不安定、足痛、膝痛、腰痛、腰痛、肩こり、背骨が曲がり片方の肩が下がる等のストレスを履いて歩くことで減少させる浮き趾改善サンダルである。【解決手段】サンダルの足の裏接地面に於いて、第二趾、第三趾、第四趾、第五趾の接する面は、第一趾と足裏の接する面より１ミリメートルから４ミリメートル低くする。【選択図】図１
0003117036.tif 000002
【実用新案登録請求の範囲】
【請求項１】
サンダルの上面（足の裏に接する面）に於いて、ゆびの第一趾（親指）を除く、第二趾、第三趾、第四趾、第五趾の接地する面を足の裏が接する面より１ミリメートルから４ミリメートルの範囲で段差を付け低くする。
【考案の詳細な説明】
【考案の詳略名説明】
【産業上の利用分野】
この考案は、サンダルを履いて歩くたび、足の趾が段差の面を握り締める運動で趾の筋力を高める。
【背景技術】従来のサンダルは履物としての目的のみで、趾の接地面と足の裏の接地面が同じで平面である。又は趾の接地力を体に伝えるため、趾を持ち上げたサンダルもある。
【考案が解決しようとする課題】
趾の運動不足と窮屈な靴の利用で浮き趾が非常多い（６，０００人の観察集計か子供９５％、大人７８％）。趾の接地力を高めると扁平足、細長足、ハイアーチ、不対象足形が極端に少なくなることが判明した。歩く度、趾の筋力を増加させ接地力を高める浮き趾を改善するサンダルである。
【課題を解決する手段】
本考案は、１０年前から８年間にわたり子供と大人合計約６，０００人を超えるの足の裏の接地状況を観察しました。比較的健康な足形に於いても大地にしっかり着いていない浮き趾が多い。運動や草履ばきで足長、足幅、偏平足、外反が改善されているが、浮き趾の改善が少ない。浮き趾の改善には趾が自由に動き、歩く度に趾は段差の縁を握り締める運動を繰り返すことができるサンダルの足裏接地面の形状である。
【作用】
従来の履物の足裏接地面を、第一趾を除く、他の趾の接地面を低くた段差をつくることにより歩く度、趾は段差の縁を握り締めようと低い面を押し付ける動作を繰り返す。
【実施例】なお、実施にあたっては、次のことが考えられる。
（イ）  趾は段差の縁を握り締めようと低い面を押し付け趾に力が入る。
（ロ）  趾の筋力が増加して接地力が高められる。
（ハ）  サンダルを履いて歩くだけで浮き趾が改善される。
【考案の効果】
趾の筋力が増加して接地力が高められる、浮き趾改善され浮き趾からのストレスの足形も改善された。
【図面の簡単な説明】
【図１】本考案の斜視図である、つま付サンダル（イ）、及び鼻緒付サンダル（ロ）、に於いて足の裏の接地面（１）より第一趾（親指）の接地面を除く、第二趾、第三趾、第四趾、第五趾の接地面（２）を足裏接地面より１ミリメートル〜４ミリメートル段差を付けて低くする。
【図２】サンダルの足裏接地面、上面図と側面図である。
【図３】サンダルを履いたとき趾と足裏の接地するが位置の上面図である。
【符号の説明】
１、第一趾と足の裏が接する面。
２、第一趾（親指）を除く、第二趾、第三趾、第四趾、第五趾の接る面段差面。
【図１】
0003117036.tif 000003
【図２】
0003117036.tif 000004
【図３】
0003117036.tif 000005
(57)【要約】【課題】  煩わしかった、洋式トイレでの、検査用の便の採りかたを、通状の姿勢の座り方で、採便ができる様にした。【解決手段】  洋式トイレに使用のとき、凸形ペーパーの三突部を洋式便座（６）、に貼付ける。採便具（１）、は便座（６）、と便器の溜水（７）の中間にＵ字状に吊られ、便を溜水に落ちる前に受けとめ、検査用の便を採る。採便後は剥がして水洗で流せばよい。【選択図】          図３
0003117034.tif 000002
【実用新案登録請求の範囲】
【請求項１】
凸形ペーパー（１）の背面の３突部に接着剤を付け、接着剤の保護に剥離紙（２）（３）（４）を設けた構造の採便具。
【考案の詳細な説明】
【技術分野】
【０００１】  本考案は、毎年実施の集団健康診断や、食中毒などのとき、堤出する検査用大便、の採便に関するものである。
【背景技術】
【０００２】  採便に関する器具や装置は全く未開発。本考案に類似する製品も皆無である。
【考案の開示】
【考案が解決しようとする課題】
【０００３】  本考案は煩わしく、面倒な洋式トイレでの検査用大便の採り方を解決しようとしたものである。
毎年実施される、保健事業に基ずく集団検診のとき検査日の前の１日目と２日目、の２日分の便を堤出する。
保健所の採便方法指示は、和式トイレでは折り畳んだペーパーを便器の中に置きその上での採便なので簡単。
洋式トイレでの採便は難しい、採便手引きには便座に逆向きに座り水の無い斜面に折り畳んだペーパーを置いて採る方法が示されているが、便座の脇には着座席センサーアーム（８）、があり逆向きには座りずらい、また斜面のため便を載せたまま溜め水（７）にずり落ちてしまうることもる。
本考案の凸形採便具は図３、に示すように洋式便座（６）に剥離紙（２）（３）（４）、を剥がしてＵ字状貼り、検査用便を採るまでの間便を溜水（７）、に落ちないよう保持するものである。
本考案は洋式トイレに通常の姿勢で座り採便できるよう、問題点を解決するためになされたものである。
【課題を解決するための手段】
【０００４】  凸形ペーパー（１）の背面の３突部に接着剤を付け、接着剤保護に剥離紙（２）（３）（４）を設けた採便具。
【考案の効果】
【０００５】  本考案を使用することにより洋式トイレ便座に逆向きの姿勢でなく、洋式トイレでも通常の姿勢で便座に座り便を採ることができるようにした。採便後は便座から剥がして水洗で流せばよい。
【考案を実施するための最良の形態】
【０００６】  本考案は検便のための便を採るときに、便を検査棒にこすり付けるまでまでのあいだ、便を水洗の溜水に落ちないよう保持するものである。
水洗で流せるペーパー使用で採便後は便座から剥がし流せばよい。
採便具（１）は便座（６）、のほぼ中央にＵ状に貼付ける、中央突部は奥行きの目安と採便具の安定のため。
和式トイレ、には凸部の無い、長方形の両端に接着剤を付けた採便具でよい。
【実施例】図３で実施例を示す。
凸形採便具は洋式トイレの便座の（６）、に採便具（１）、をＵ状に貼付ける図３。貼り付ける位置は便座（６）のほぼ中央。凸形の突部（２）、は奥行きの目安と、採便具の安定のため。検便用便は少量でよいので、余分な便は座る位置を少し前にずらして採便具を避け便を直接流す。水洗で流せるペーパー使用で、採便後は水洗でそのまま流す。
【図面の簡単な説明】
【図１】凸形採便具の平面図である。
【図２】凸形採便具の要部拡大背面図である。
【図３】本考案の実施の形態である。
【符号の説明】
（１）              採便具
（２）（３）（４）  剥離紙
（５）              接着剤
（６）              洋式便座
（７）              溜水
（８）              着座センサーアーム
【図１】
0003117034.tif 000003
【図２】
0003117034.tif 000004
【図３】
0003117034.tif 000005
(57)【要約】【課題】  雑木林などの高所にいるカブトムシなどの昆虫を取るとき、長い竿に取り付けることができ、枝や葉に邪魔されずに個体を捕獲することができる昆虫取り網を提供する。【解決手段】  円形状の枠に上面を開口した有底状の網を設け、網は胴体部の直径が開口部の直径よりも大きくなることを特徴とする昆虫取り網。【選択図】図１
0003117002.tif 000002
【実用新案登録請求の範囲】
【請求項１】
円形状の枠に上面を開口した有底状の網を設け、網は胴体部の直径が開口部の直径よりも大きくなることを特徴とする昆虫取り網。
【請求項２】
枠の直径を１０〜２５センチメートルとし、枠と網の合計が１０〜５０グラムとする請求項１の昆虫取り網。
【考案の詳細な説明】
【技術分野】
【０００１】  本考案は、カブトムシなどの昆虫を効率良く取る為の網に関するものである。
【背景技術】
【０００２】  従来、昆虫を取る為の網は、その枠の直径が約３０センチメートルと大きく、素材の柔らかい網も袋状に大きく垂れ下がっていた。
【考案の開示】
【考案が解決しようとする課題】
【０００３】  雑木林の高い所に居る個体を取る時、網や長い棒を使っていたが、次のような問題点があった。袋状の余分な網が木の枝や葉に引っ掛ったり、視界を妨げたりして捕獲に失敗する。また網の重さの為、竿を長くすると不安定になる。言うまでも無く、長い棒だけでは上手く捕獲できない。
本考案は、以上の問題点を解決するためになされたものである。
【課題を解決するための手段】
【０００４】  網枠の直径を従来のものより小さく、狙う個体を取り易い大きさにし、網も視界を妨げず、個体が入り易く出にくい無駄のない大きさにする。
本考案は、以上の構成よりなる効率よくカブトムシなどの昆虫を取る為の網である。
【考案の効果】
【０００５】  網自体が小さく軽いため竿を長くする事ができ、より高所の個体を的確に取らえる事ができる。
【考案を実施するための最良の形態】
【０００６】  以下、本考案の実施の形態を説明する。
（イ）  針金やプラスチックなどの軽くて丈夫な素材で作られた枠（１）に、ポリエステルなどの軽くて丈夫な素材で、小さな個体でも抜けられない程度の網目に作られた網（２）を取り付ける。この時、ベレー帽状に膨らむことの出来る胴体部（４）の最大直径が、個体を狙うのに丁度良い大きさで円形状開口部（３）の直径より大きくなるようにする。
（ロ）  昆虫取り網（イ）を柄（５）に取り付ける。
本案は以上のような構造でこれを使用するときは、昆虫取り網をカブトムシなどの昆虫の上から被せ開口部（３）の中に入れる、そしてこの網をゆっくり動かし個体を胴体部（４）に乗せるようにして取る。
【図面の簡単な説明】
【０００７】
【図１】本考案の斜視図
【図２】本考案の平面図
【図３】本考案の断面図
【符号の説明】
【０００８】  １  枠
２  網
３  開口部
４  胴体部
５  柄
【図１】
0003117002.tif 000003
【図２】
0003117002.tif 000004
【図３】
0003117002.tif 000005
(57)【要約】      （修正有）【課題】パンツの合せ部分は多数のホック方式から成り立っており、乳児の愚図り時のパンツ着脱を容易に行うことが出来格段の能率向上と労力の省力化が図られる乳児用イージーパンツの提供。【解決手段】乳児のオシメ交換時のパンツ着脱はホック止め方式から安全な舌付きとめ金具を採用したファスナー方式に改善し、また、パンツの裾は、ファスナーの下端合せ金具を含み、リング状に縫製しパンツ着脱時、下端合せ金具の装着等の煩わしさもなくして使用できる。【選択図】図１
0003117004.tif 000002
【実用新案登録請求の範囲】
【請求項１】
裾１、下端合せ金具２、舌付きとめ金具３、かぎ形金具４、パンツ５、ハンドル９、舌１０、上部ストッパー１１、から主要部材が構成され、乳児のパンツを脱がす場合は、舌付きとめ金具３、付きハンドル９、を手動操作してパンツ５、の下端合せ金具２、までスライドしてパンツを開き乳児の脛７、を折り曲げて、裾１、から足６、を出して行う、本パンツの裾を下端合せ金具２、を組み込みリング状に縫製した裾１、を特長とする、乳児用イージーパンツ。
【請求項２】
乳児にパンツを着脱する場合、舌付きとめ金具３、付きハンドル９、を手動操作してパンツ５、の上部ストッパー１１、または、下端合せ金具２、まで舌付きとめ金具３、を上下スライドしてパンツの着脱を行うが、舌付き止め金具３、に舌１０、を取付け乳児の肌にファスナーの舌付き止め金具３、及びかぎ形金具４、が咬みこまないように安全性を高め、取り扱いを簡易化したことを特長とする、ファスナー式、乳児用イージーパンツ。
【考案の詳細な説明】
【技術分野】
【０００１】  本考案は、乳児のオシメ交換作業を効率良く、安全に行うことができる、乳児用イージーパンツに関するものである。
【背景技術】
【０００２】  近年、乳児用パンツは裾から胴廻りまでの合せ部分をホック止めする方式が実用に共されており、本方式では、乳児のオシメ交換時の愚図り、また、足のバタつかせ等により、パンツを着せる時、多大な労力を必要とする問題点を有していた。
【考案の開示】
【考案が解決しようとする課題】
【０００３】  解決しようとする問題点は、パンツの合せ部分は多数のホック方式から成り立っており、乳児の愚図り時のパンツ着脱は、多大な労力を要する等、容易に作業が捗らない点である。
〔問題を解決しようとする手段〕【０００４】  本考案は、乳児のオシメ交換時のパンツ着脱はホック止め方式から安全な舌付きとめ金具を採用したファスナー方式に改善し、着脱作業の能率向上と労力の省力化を図ることを主要特長とする。【０００５】  パンツの裾は、ファスナーの下端合せ金具を含み、リング状に縫製しパンツ着脱時下端合せ金具の装着等の煩わしさをなくし容易に使用できる。
【考案の効果】
【０００６】  パンツの裾をリング状に縫製しており、乳児のパンツ着脱時は、乳児の脛を折り曲げて裾から足を出入し、ファスナー操作に伴い容易に作業が確立できる効果がある。
【考案を実施するための最良の形態】
【０００７】  乳児の健康、周囲の環境及びパンツ裾、ファスナーの状態を確認し、問題があれば改善後、パンツの着脱作業を行う。
また、ファスナーは安全な舌付きとめ金具を使用し、ファスナー操作時乳児の肌に止め金具の咬みこみ防止を講じているが、不必要に乳児の肌に押し当ててファスナーの操作を行わず、舌付きとめ金具のハンドルを持ち上げ気味に操作し、常時最良の形態を維持する。
【実施例】
【０００８】  図１は乳児がパンツ脱いだ状態の平面図、図２は乳児が片足のみパンツを穿いた状態の平面図、図３は乳児が両足ともパンツを穿いた平面図、図４は舌付きとめ金具の平面図、図５は舌付きとめ金具の側面図であり、裾１、下端合せ金具２、舌付きとめ金具３、かぎ形金具４、パンツ５、足６、脛７、オシメ８、ハンドル９、舌１０、上部ストッパー１１、で構成されている。【０００９】  乳児にパンツを穿かす場合は、予めパンツ５、を前向きにひろげ、乳児をその上に、仰向けに寝かせ、乳児の脛７、を折り曲げて、リング状に縫製した裾１、に足６、を入れ、舌付きとめ金具３、をハンドル９、にてパンツ５、の上部ストッパー１１、まで舌付きとめ金具３、をスライドして片方のパンツを穿かす作業が終了、他方のパンツも同様、乳児の脛７、を折り曲げて、裾１、に足６、を入れ、舌付きとめ金具３、をハンドル９、にてパンツ５、の上部ストッパー１１、まで舌付きとめ金具３、をスライドしてパンツを穿かす作業が完了する。【００１０】  乳児のパンツを脱がす場合は、上部ストッパー１１、にある舌付きとめ金具３、をハンドル９、にてパンツ５、の下端合せ金具２、までスライドしてリング状に縫製した裾１、から足６、の脛７、を折り曲げて足６、を取り出して片足の脱がす作業が終了する、他方のパンツも同様、上部ストッパー１１、にある舌付きとめ金具３、をハンドル９、にてパンツ５、の下端合せ金具２、までスライドしてリング状に縫製した裾１、から足６、の脛７、を折り曲げて足６、を取り出して両足の脱がす作業が完了する。
【産業上の利用可能性】
【００１１】  本乳児用イージーパンツを成人向けに適用すれば寝たきり老人にも同様に簡易化が図られる。
【図面の簡単な説明】
【００１２】
【図１】乳児用イージーパンツを脱いだ平面図。
【図２】乳児用イージーパンツを片足穿いた平面図。
【図３】乳児用イージーパンツを両足穿いた平面図。
【図４】舌付きとめ金具平面図
【図５】舌付きとめ金具側面図
【符号の説明】
【００１３】  １  裾
２  下端合せ金具
３  舌付きとめ金具
４  かぎ形金具
５  パンツ
６  足
７  脛
８  オシメ
９  ハンドル
１０  舌
１１  上部ストッパー
【図１】
0003117004.tif 000003
【図２】
0003117004.tif 000004
【図３】
0003117004.tif 000005
【図４】
0003117004.tif 000006
【図５】
0003117004.tif 000007
(57)【要約】      （修正有）【課題】足の運動不足解消の為、スリッパの踵を低くして指先が当る部分に溝を設ける事で足の指の裏側でスリッパの底に設けられた溝を掴むように引っ掛けられるため、踵が低くても足の裏で身体のバランスを取ることが可能になる。【解決手段】スリッパの踵を低くしたことで、土踏まずの当たる底が盛り上がった形状の中央部分になり、指先が当る部分に溝を設けることにより親指から小指までの指先の第一関節が曲り、溝に引っ掛かることで指の曲げ方に応じて指先に加わった力が、身体のバランスを保つ事で足の血行が良くなり運動不足の解消になる。【選択図】図１
0003117010.tif 000002
【実用新案登録請求の範囲】
【請求項１】
親指から小指までの足の指が当る部分のスリッパの底に足の指先の第一関節が曲がって引っ掛かる溝を設け、踵を低くしたことで、底が盛り上がった形状の中央部分になったところを特徴とする、外反母趾を予防できるスリッパ。
【考案の詳細な説明】
【技術分野】
【０００１】  本考案は、スリッパの内側の底に指先の第一関節が曲がって引っ掛かる溝を設け、踵を低くした事で足の指先に力が入り、血行が良くなる事で外反母趾を予防できるスリッパに関するものである。
【背景技術】
【０００２】  従来の外反母趾の患者は高齢者が多かったが、先の狭いハイヒールなどを常に履いて生活している女性、又、車社会の影響などで運動不足の子供の患者も増える傾向にあった。
【考案の開示】
【考案が解決しようとする課題】
【０００３】  外反母趾は、女性の靴の形の問題や子供の運動不足または扁平足が原因とされ、対策を急がねば社会生活に悪影響を及ぼす恐れが有る、従って、スリッパの底に指先の第一関節が曲がって引っ掛かる溝を設け、踵を低くすることにより、指先の裏側でスリッパの底の溝を掴む様にして歩くことで土踏まずを刺激して血行が良くなり、運動不足が解決されることで前述の欠点を解決しようとするものである。
【課題を解決するための手段】
【０００４】  本考案は、スリッパの底の指先が当る部分に、指先の第一関節が曲がって引っ掛かる溝を設け、スリッパの踵を低くしたことで、土踏まずの当る底が盛り上がった形状の中央部分に関わらず簡単に足が滑って脱げることも無く、指先に加わった力が身体のバランスを安定させ、常に指先の血行が促進されることで問題点を解決している。
【考案の効果】
【０００５】  上述の様に、本考案の外反母趾を予防できるスリッパは、スリッパの内側の底に指先の第一関節が曲がって引っ掛かる溝を設けたことで、溝に足の指先を曲げて引っ掛けることが出来る為、踵が低くても身体のバランスが取りやすく指先の血行が促進されることで、外反母趾の予防になるスリッパの提供に役立つ。
【考案を実施するための最良の形態】
【０００６】  外反母趾を予防できるスリッパは、親指から小指までが当る部分のスリッパの底に、指先の第一関節が曲がって引っ掛かる溝を設け、更に、踵を低くした事で土踏まずの当る底が盛り上がった形状の中央部分になっても、指の曲げ方に応じてスリッパの底を指先の裏側で強く掴められることにより、スリッパから足が滑らずに済み、常に足の裏全体が刺激されて血行が良くなる。
【実施例】
【０００７】  以下、添付図面に従って一実施例を説明する。スリッパ本体１に足を入れ、指先の第一関節が曲がって引っ掛かる溝２に指先の第一関節を引っ掛け、踵の低い部分３に踵を下ろすと土踏まずの当る底が盛り上がった形状の中央部分４の影響で足の裏の指先、踵、土踏まずに刺激が与えられ血行が良くなることで運動不足が解消され外反母趾の予防になる。
【図面の簡単な説明】
【０００８】
【図１】本考案の外反母趾を予防するスリッパを履いた状態を横から見た図である。
【図２】本考案の外反母趾を予防するスリッパを上から見た図である。
【図３】上述の〔図２〕を横から見た図である。
【符号の説明】
【０００９】１  スリッパ本体
２  指先の第一関節が曲がって引っ掛かる溝
３  踵の低い部分
４  底が盛り上がった形状の中央部分
５  足の甲が当る上カバー部分
【図１】
0003117010.tif 000003
【図２】
0003117010.tif 000004
【図３】
0003117010.tif 000005
(57)【要約】      （修正有）【課題】車内のガラスに車中の安全認識物を吸盤で貼り夜間でもランプが点くことによりよく見えるようにする。【解決手段】車中のガラスに本体１と４を３の吸盤で取り付け６のコードと先端の５のプラグをつなぎこれを車のシガレットライターソケットに差し込むことにより２のランプが点灯して夜間でも昼間でもよく見えることにより後車の運転注意を促すことに役立つ。【選択図】図１
0003117006.tif 000002
【実用新案登録請求の範囲】
【請求項１】
車内のガラスに車中の人、物、動物、免許初心者等の安全認識を示すプラスチックの本体を吸盤で取り付け、車のスイッチから電源を引き本体とつなぎ、本体にはランプが付いていてスイッチを入れると安全認識の本体が点灯できる装置。
【考案の詳細な説明】
【技術分野】
【０００１】  本考案は、車内のガラスにプラスチック製で中にランプの入っている本体を吸盤で貼り付け車のシガレットライターソケットから電源を取りプラグを差し込むと点灯する装置である。
【背景技術】
【０００２】車内に赤ちゃん、動物など乗車、車椅子を使用、運転免許の初心者など交通安全のためのラベルをよく見かける。
【考案の開示】
【考案が解決しようとする課題】
【０００３】  ラベルやシールのものはよく見かけるが、夜間だとよく見えない。ランプが点いたら夜間はもちろん昼間でも目立つので後車が気付きやすくなり前述の欠点を解決しようとするものである。
【課題を解決するための手段】
【０００４】本考案は、本体にランプを入れて、電源を車のシガレットライターソケットから取り、本体のプラグを差し込むとランプが点くことにより問題点を解決している。
【考案の効果】
【０００５】  上述の様に、本考案の車内安全認識物をガラスに貼りランプが点く装置は、夜間でもよく見えるし、昼間でも後車にもよく目立つので交通安全上にも効果が期待できる。
【考案を実施するための最良の形態】
【０００６】  車内の安全認識をデザインして、それに吸盤を付けて車内のガラスに取り付ける。その中にはランプが入っていて、コードの先のプラグをシガレットライターソケットに差し込むとランプが点くようにする。
【実施例】
【０００７】  以下、添付図面に従って実施例を説明する。１はプラスチック等適宜素材にて形成された本体の表側、２はランプ、３はゴム製の吸盤でこれをガラスに貼り付ける、４は、本体の裏側は光を透さない素材、５はプラグで、車のシガレットライターソケットに差し込むことによりランプが点灯する。
【図面の簡単な説明】
【０００８】
【図１】本考案の本体の表側の図である。
【図２】本体の側面図である。
【符号の説明】
【０００９】１  本体の表側
２  ランプ
３  吸盤
４  本体の裏側
５  プラグ
６  コード
【図１】
0003117006.tif 000003
【図２】
0003117006.tif 000004
(57)【要約】【課題】ユーモアを伴って多数の人の履物や衣服類などを個別化して整理できる挟み具や添着具としてのキャラクターグッズを提供すること。【解決手段】各種キャラクターの掌及び／又は足裏に吸盤４を取着し、吸盤４を両掌及び／又は両足裏に設けたものは挟み具として使用し、片掌及び／又は片足裏に設けたものは添着具として使用する。【選択図】図１
0003117082.tif 000002
【実用新案登録請求の範囲】
【請求項１】
各種キャラクターの掌及び／又は足裏に吸盤を取着して成るキャラクターグッズ。
【考案の詳細な説明】
【技術分野】
【０００１】
本考案は、靴や草履などの履物や衣服類の整理保管、個別化に使用される挟み具や添着具としてのキャラクターグッズに関する。
【背景技術】
【０００２】
他人の靴との間違いが起こらないように、靴１足毎に揃えて整理でき、また、整理札も掛けられる技術が特開平１０−２８６１６３号公報（特許文献１）に提案されている。
また、靴べら付履物整理具が特開平１０−４３０３４号公報（特許文献２）に提案されている。
特許文献１に開示された技術は、靴１足毎に差し入れられる構造が複雑で目的の割にコストを要する。特許文献２で提案された技術は、へら本体に対して靴の開口壁を掴むスリットがへら本体の平面に対して直交する方向に開口され、その開口に弾性作用を持たせたものであるから、スリットを形成する突出体はへら本体に対してねじり状に突出され、成形に手間取る。さらに、へら本体の形状を動植物などの各種形態に設定して他人の靴との差別化をするという提案は量産化には適さない。
【特許文献１】特開平１０−２８６１６３号公報
【特許文献２】特開平１０−４３０３４号公報
【考案の開示】
【考案が解決しようとする課題】
【０００３】
本考案は、ユーモアを伴って多数の人の履物や衣服類などを個別化して整理できる挟み具や添着具としてのキャラクターグッズの提供をその目的とする。
【課題を解決するための手段】
【０００４】
本考案のキャラクタ−グッズは、各種キャラクターの掌及び／又は足裏に吸盤を取着して成る。
【考案の効果】
【０００５】
本考案のキャラクターグッズは、多数の人の履物や衣服類などの個別化に名札や番号札に代えてユーモアを演出できる効果があり、個人的な使用においては平面的な作りでコンパクトに携帯されて個別化できる効果がある。
【考案を実施するための最良の形態】
【０００６】
本考案のキャラクターグッズにおける掌や足裏は、立体構造では両手、両足に及ぶものから、平面構造では片手、片足のものともなり、吸盤の取着に関しては、前者のものでは両手、両足を対象とするものから何れか片側に取着する。
【実施例】
【０００７】
本考案を実施例により説明すると、図１に示したように、キャラクターとしてのだっこちゃん１を立体的に、かつ、両方の手２、足３を円盤状の開閉自在な構造に形成し、その両手足の掌及び足裏にシリコンゴム製の粘着力のある吸盤４を一体として成る。
吸盤４の取着に関しては、両手２、両足３の掌及び足裏を対象とするものや、両手２のみ或いは両足３のみにおける双方又は一方に設ける。吸盤４の構造も種々提供される。
【０００８】
このようにして成るキャラクターグッズＡは、図２に示すように、一足の靴５においてその側部６（その他の適所）を両手２の掌に取着した吸盤４で挟み付けて取り付けられ、だっこちゃん１の腹まき７の色や絵柄或いは表示番号で個別化されて整理される。
この場合は、両手２、両足３は弾発力を伴って開閉するものから、単に柔軟性を伴って開閉するものが提供される。使用に際しては吸盤４の全面で吸着するものからその一部で吸着するものがある。
図３に示したものは脱いだコート８の襟９にキャラクターグッズＡを両手２、両足３の吸盤４を介して取着したもので、だっこちゃん１により個別化が図られる。吸着の解除には手２や足３或いは吸盤４に一体の引き手１０を引き上げることによってその解除が図られる。
平面的なキャラクターにおいては手２、足３は片側のみとなるから、その場合には吸盤４による挟み付け吸着ができないが、コンパクトな作りとなって携帯には便利となる。
【産業上の利用可能性】
【０００９】
本考案の挟み具は、個人的な使用のほか宴会場などのサービス業界で人の集まる場所での履物や衣服などの個別化に使用される。
【図面の簡単な説明】
【００１０】
【図１】本考案のキャラクターグッズＡの斜視図。
【図２】本考案のキャラクターグッズＡを吸盤４で一足の靴５に取着した状態を示す説明図。
【図３】同上キャラクターグッズＡを吸盤４でコート８に取着した状態を示す説明図。
【符号の説明】
【００１１】
１：だっこちゃん
２：手
３：足
４：吸盤
５：靴
６：側部
７：腹まき
８：コート
９：襟
１０：引き手
Ａ：キャラクターグッズ
【図１】
0003117082.tif 000003
【図２】
0003117082.tif 000004
【図３】
0003117082.tif 000005
(57)【要約】      （修正有）【課題】５種類の魚介類を具材として用いながら、各具材とすし飯と海苔との間の味のバランスがよく、食感も優れた巻き寿司を提供する。【解決手段】巻き寿司１０の中心部の具は、甘エビ４１、イクラ４２、数の子４３、うなぎ４４、マグロの赤身４５である。具の下拵えとして、イクラ４２は一度酒にて洗い、味醂と酒を加えた濃い口醤油にて醤油漬けにする。数の子４３は塩抜きをするが、うすい塩水にて塩を抜く。巻き寿司１０を作るときは、通常の巻き寿司と同様に、巻き簾に海苔２０を置き、その海苔２０の上にすし飯（シャリ）３０を均等にならして置き、すし飯３０の中央部に前記の下拵えした甘エビ４１、イクラ４２、数の子４３、うなぎ４４、マグロの赤身４５の５品の具をを置き、巻き簾を巻いて巻き寿司の形を整える。【選択図】図１
0003117030.tif 000002
【実用新案登録請求の範囲】
【請求項１】
具と、具の周囲のすし飯と、すし飯の外周を巻いた海苔とからなる巻き寿司において、前記具が甘エビ・イクラ・数の子・うなぎ・赤身の５品であることを特徴とする、巻き寿司。
【請求項２】
前記イクラは、下拵えとして、まず酒で洗い、その後味醂・酒を加えた濃い口醤油にて醤油漬けにしたものであることを特徴とする、請求項１に記載の巻き寿司
【考案の詳細な説明】
【技術分野】
【０００１】  本考案は、味と食感のよい巻き寿司に関するものである。
【背景技術】
【０００２】  従来、一般的な巻き寿司は、玉子、高野豆腐、かんぴょう、三つ葉、椎茸などが具として使われ、上巻と言われる高級な巻き寿司ではエビやイカなどの魚介類の具材が使われることが多かった。また、鉄火巻き、きゅうり巻き、アナゴ巻き等のように、具材が単品のものもあった。【０００３】  上巻の中には、複数の魚介類を具材として使う、太巻きと称するものもあるが、具材の種類を多くするほど、各具材とすし飯と海苔との間で味のバランスや食感が悪くなるという問題があった。
【考案の開示】
【考案が解決しようとする課題】
【０００４】  本考案は、従来の太巻きの問題に鑑みてなされたもので、５種類の魚介類を具材として用いながら、各具材とすし飯と海苔との間の味のバランスがよく、食感も優れた巻き寿司を提供することを目的とする。
【課題を解決するための手段】
【０００５】  上記課題を解決するために、本考案の請求項１の巻き寿司は、具と、具の周囲のすし飯と、すし飯の外周を巻いた海苔とからなる巻き寿司において、前記具が甘エビ・イクラ・数の子・うなぎ・赤身の５品であることを特徴とする。
また、請求項２の巻き寿司は、前記イクラが、下拵えとして、まず酒で洗い、その後味醂・酒を加えた濃い口醤油にて醤油漬けにしたものであることを特徴とする。
【考案の効果】
【０００６】  本考案の巻き寿司は、イクラを醤油漬けにしたことにより、醤油の味がするので、食べるときに醤油につける必要がない。
また、食べたときに数の子のプチプチとした食感を楽しむことができ、甘エビの甘味、赤身のもちもち感、濃厚なうなぎの味、イクラの醤油の味、海苔の磯の味をそれぞれ楽しむことができるとともに、これらの具とシャリがそれぞれの味を主張しつつも、巻き寿司全体として絶妙な味のバランスを保つことができる。
【考案を実施するための最良の形態】
【０００７】  本考案の実施の形態を、図を用いて説明する。図１は、本考案の巻き寿司の構造を示す斜視図である。図１において、巻き寿司１０の中心部の具は、甘エビ４１、イクラ４２、数の子４３、うなぎ４４、マグロの赤身４５である。本考案の巻き寿司の作り方を説明すると、具の下拵えとして、イクラ４２は一度酒にて洗い、味醂と酒を加えた濃い口醤油にて醤油漬けにする。数の子４３は塩抜きをするが、うすい塩水にて塩を抜く。これは、「塩を塩で呼ぶ」という塩抜きの仕方で、この抜き方によって数の子の塩分を抜き過ぎず、丁度いい塩加減が残り数の子の旨みを引き出すことができる。【０００８】  甘エビ４１は地元で獲れた新鮮なものを使うのが望ましい。うなぎ４４についても、出願人の地元である、丹後半島の付け根にある宮津市の天橋立の内海である阿蘇海で獲れた天然うなぎを使うのが望ましく、そのうなぎをタレでつけ焼きをする。マグロに関しては、冷凍マグロは味が水っぽいため、生のマグロの赤身４５を使う。冷凍マグロは身にねばりがなく、どちらかというとこんにゃくみたいな物で、包丁で切っても身が刃にくっついてこない。生のマグロは身を切ったとき、包丁にぴったりくっついてきて、餅のような粘りがあり、この粘りが、本考案の巻き寿司を食べたときの、赤身の独特の食感（もちもち感）を演出する。【０００９】  本考案の巻き寿司１０を作るときは、通常の巻き寿司と同様に、巻き簾に海苔２０を置き、その海苔２０の上にすし飯（シャリ）３０を均等にならして置き、すし飯３０の中央部に前記の下拵えした甘エビ４１、イクラ４２、数の子４３、うなぎ４４、マグロの赤身４５の５品の具をを置き、巻き簾を巻いて巻き寿司の形を整える。このとき、海苔２０一枚に対してすし飯３０は約一合とすると、すし飯３０と中の具の味と量とが、巻き寿司１０をひとくち口に入れたときに丁度良いバランスとなる。【００１０】  また、イクラ４２が醤油漬けになっているため、食べる時に醤油をつける必要がない。本考案の巻き寿司１０は、５品の具の、数の子４３のプチプチ感、甘エビ４１の甘味、赤身４５のもちもち感、うなぎ４４の濃厚な味、イクラ４２の醤油加減、そして、海苔２０の磯の味、すし飯３０による各食材の集合体としての絶妙のバランスがこの巻き寿司１０の味と食感を引き立てている。
【図面の簡単な説明】
【００１１】
【図１】本考案の巻き寿司の構造を示す斜視図である。
【符号の説明】
【００１２】    １０・・・巻き寿司
２０・・・海苔
３０・・・すし飯（シャリ）
４１・・・甘エビ
４２・・・イクラ
４３・・・数の子
４４・・・うなぎ
４５・・・マグロの赤身
【図１】
0003117030.tif 000003
(57)【要約】【課題】このレインコートはコストを抑えるように構造を簡素化し、低価格で簡単に愛犬に装着できるペット用レインコートである。【解決手段】  この考案はコートの襟部、胸部、に幅２．５センチ位のゴムを取り付け、胴部にベルト通しを設けバックル付のベルトを通して着用させる。▲１▼２本のゴムをまとめて頭からかぶせる▲２▼右手を胸部のゴムに通し▲３▼左手を胸部のゴムに通す▲４▼胴部のベルトを締めことで簡単に装着できる、襟部、胸部はゴムなので収縮があり体型にフィットする。レインコート本体とゴム２本バックル付のベルトからなる、低コストで簡単に愛犬に装着できるペット用レインコートである。【選択図】  図１
0003117027.tif 000002
【実用新案登録請求の範囲】
【請求項１】
この考案はレインコートの襟部の左右縁部と胸部覆い部の前身ごろ縁部左右に幅２．５センチ位のゴムと胴部にベルトを取り付けることで簡単に愛犬に装着できることを特徴にしたペット用レインコート。
【考案の詳細な説明】
【技術分野】
【０００１】  本考案は犬のレインコートに関するものである。
【背景技術】
【０００２】雨天の散歩のときペットにレインコートを着用するが、ペットがいやがって装着が厄介である。
【考案の開示】
【考案が解決しようとする課題】
【０００３】このレインコートはコストを抑えるように構造を簡素化し、低価格で簡単に愛犬に装着できるペット用レインコートである。
【課題を解決するための手段】
【０００４】  この考案はコートの襟部、胸部、に幅２．５センチ位のゴムを取り付け、胴部にベルト通しを設けバックル付のベルトを通して着用させる。▲１▼２本のゴムをまとめて頭からかぶせる▲２▼右手を胸部のゴムに通し▲３▼左手を胸部のゴムに通す▲４▼胴部のベルトを締めことで簡単に装着できる、襟部、胸部はゴムなので収縮があり体型にフィットする。レインコート本体とゴム２本バックル付のベルトからなる、低コストで簡単に愛犬に装着できるペット用レインコートである。
【考案を実施するための最良の形態】
【０００５】以下、図面を参照しながら実施の形態について説明する。
襟部には芯を入れ、襟部の左右縁部に幅２．５センチのゴムを縫いつけ、胸部覆い部の前身ごろの左右縁部に幅２．５センチのゴムを縫い付け背部中央に６ベルト通しを設け、バックル付きのベルトを通して襟部、胸部のゴムと胴部のベルトで着用する。
【図面の簡単な説明】
【０００６】
【図１】レインコートの側面図
【図２】使用状態の斜視図
【図３】レインコートの展開図
【符号の説明】
【０００７】１．  レインコート本体
２．  襟部
３．  襟部のゴム
４．  胸部のゴム
５．  胴部のベルト
６．  背部のベルト通し
７．  ベルトのバックル
【図１】
0003117027.tif 000003
【図２】
0003117027.tif 000004
【図３】
0003117027.tif 000005
(57)【要約】【課題】インターネット指導において、ホワイトボードの使用によるパソコンにかかるメモリー負担、生徒にかかる操作負担や操作負担による不安感を軽減する。【解決手段】授業中に使用する１のパソコンカメラに３のカメラと設置台の接合部で回動可能であり、５のアーム連結部で回動可能な設置台を設け、２のカメラレンズの向きを自在にすることにより、ホワイトボードを使用しなくとも解き方や考え方をカメラに写した文字や図を手元のノートに描写して説明できる。パソコンのメモリー負担や生徒の操作負担を軽減し、勉強に対しての集中や初めての授業でも慣れを要することなく受講することに役立つ。【選択図】    図１
0003117020.tif 000002
【実用新案登録請求の範囲】
【請求項１】
主にパソコンカメラ、カメラと設置台の接合部、設置台アームその一、設置台アームその二、アーム連結部により構成し、該設置台アームその一の先端に該パソコンカメラを設け、縦に回動可能な該カメラと設置台の接合部および横に回動可能な該設置台アームその一により該パソコンカメラが下方を写したときに画像の上下反転の修正ができることを特徴とする設置台付きパソコンカメラ。
【考案の詳細な説明】
【技術分野】
【０００１】本考案は、設置台（電気スタンドの一部を取り除いたもの）を設けたパソコン用カメラに関するものである。
【背景技術】
【０００２】インターネットを利用して学習指導を行う際、テレビ電話ソフトを利用する。そのとき学校の黒板の代わりになるものがホワイトボード画面である。これにデジタルペンを用い記入することができる。パソコンカメラは顔を写すのみに使用していた。ホワイトボードは、パソコンにかかるメモリー負担が大きく、また、デジタルペン使用による生徒負担が生じていた。
【考案の開示】
【考案が解決しようとする課題】
【０００３】ホワイトボードを使うことによるメモリー負担、また、生徒側にパソコン操作等の負担が大きく、集中力の低下にもつながっていた。従って、ホワイトボードの代わりにカメラでノートを写し、手書きで解答解説や添削を行い、ホワイトボードを使わないことによってパソコンのメモリー負担、デジタルペン操作による生徒負担の問題を解決するものである。
【課題を解決するための手段】
【０００４】本考案は、パソコンカメラに設置台を設け、カメラの向きを自在となるようにし、ホワイドボードの代わりにノートを写し、それに説明し、ホワイトボードの操作という生徒負担や不安感の問題を解決している。
【考案の効果】
【０００５】上記のように、インターネット指導では、ホワイトボードの使用がパソコンや回線の負担になり、また、何よりも生徒にボールペン等とは使用感覚の異なるデジタルペンを使用する負担が大きく、生徒の負担を軽減し、パソコンの安定、生徒の集中力の向上に役立つ。また、パソコン操作の軽減により、第１回目の指導から操作の慣れを要することなく安心感を持って受講することに役立つ。
【発明を実施する最良の形態】
【０００６】以下添付図面に従って一実施例を説明する。１はパソコンカメラ。２はカメラのレンズ。３はカメラとの接合部で、ねじを使って接合している。正面から見て上下にカメラだけを３６０度回転できる。４の設置台のアームその一と７の設置台のアームその二が５のアーム連結部で連結している。４の設置台のアームその一が５のアーム連結部から（正面から見て）横方向に３６０度回転できる。６の連結部ねじをゆるめ、５のアーム連結部から４の設置台のアームその一を下に下げることができる。
【実施例】
【０００７】図１は、講師や生徒の顔が映るように２のカメラレンズを顔に向けた状態である。【０００８】図２は、図１の状態から１のパソコンカメラを下に９０度回転させた状態である。この状態だとノートが上下反対に写っている。【０００９】図３は、図２の状態から５のアーム連結部で４の設置台のアームその一を横方向に１８０度回転させた状態である。ノートを写して解き方や考え方を指導する際にこの状態となる。【００１０】図４は、図３の状態から６の連結部ねじをゆるめ４の設置台のアームその一を下げた状態である。ノートをカメラに近づけて文字を大きく表示させるときに使用する状態である。
【図面の簡単な説明】
【００１１】
【図１】本考案の設置台付きパソコンカメラの一実施例を示す正面図である。
【図２】本カメラを下に向けたときの正面図である。
【図３】本カメラを下に向け４の設置台のアームその一を横方向に１８０度回転させたときの正面図である。
【図４】本カメラを下に向け４の設置台のアームその一を横方向に１８０度回転させ、６の連結部ねじをゆるめ４の設置台のアームその一を下に下げたときの正面図である。
【符号の説明】
【００１２】１  パソコンカメラ
２  カメラレンズ
３  カメラと設置台の接合部
４  設置台のアームその一
５  アーム連結部
６  連結部ねじ
７  設置台のアームその二
【図１】
0003117020.tif 000003
【図２】
0003117020.tif 000004
【図３】
0003117020.tif 000005
【図４】
0003117020.tif 000006